(57)【要約】【課題】ゴミ等により読取画像の品質が低下するのを防止することができる画像読取装置を提供することを目的とする。【解決手段】画像読取装置は、搬送路を搬送される原稿Ｓの画像を読み取る画像読取部１と、画像読取部１に対して搬送路を挟んで対向するように配置されるガイド部材１０と、を備える。画像読取部１は、ガイド部材１０に対向する面に原稿の画像を読み取るための開口部５８が設けられ、該開口部５８から原稿Ｓに向けてエアを吹き出させるファンユニット６０を備える。【選択図】図２
2010098660.tif 000002
【特許請求の範囲】
【請求項１】
搬送路を搬送される原稿の画像を読み取る画像読取部と、該画像読取部に対して前記搬送路を挟んで対向するように配置されるガイド部材と、を備える画像読取装置において、  前記画像読取部は、前記ガイド部材に対向する面に原稿の画像を読み取るための開口部が設けられ、該開口部から気体を吹き出させる気体供給手段を備える
ことを特徴とする画像読取装置。
【請求項２】
前記ガイド部材は、前記開口部に対向する部位に溝部が設けられ、かつ前記溝部が前記開口部から離間する位置に移動可能に配置される、
ことを特徴とする請求項１に記載の画像読取装置。
【請求項３】
前記ガイド部材は、白色系の部材で構成される、
ことを特徴とする請求項２に記載の画像読取装置。
【請求項４】
前記画像読取部は、前記気体供給手段から供給された気体によって内部の気圧が外部より高くなる状態を維持した状態で、内部の気体を外部に吹き出させる吹き出し口を有する、
ことを特徴とする請求項１〜３のいずれか一項に記載の画像読取装置。
【請求項５】
原稿の厚さ情報に基づいて、前記気体供給手段による気体の供給の開始及び停止タイミング、並びに供給する気体の風量を決定する決定手段と、該決定手段により決定された前記供給及び停止タイミング、並びに前記風量に基づいて前記気体供給手段を制御する制御手段と、を備える
ことを特徴とする請求項１〜４のいずれか一項に記載の画像読取装置。
【請求項６】
ユーザ操作により原稿の厚さを設定する操作部を備え、前記決定手段は、前記操作部で設定された原稿の厚さ情報に基づいて、前記気体供給手段による気体の供給の開始及び停止タイミング、並びに供給する気体の風量を決定する、
ことを特徴とする請求項５に記載の画像読取装置。
【請求項７】
前記画像読取部より上流側で前記搬送路を搬送される原稿の厚さを検知する検知手段を備え、前記決定手段は、前記検知手段で検知された原稿の厚さ情報に基づいて、前記気体供給手段による気体の供給の開始及び停止タイミング、並びに供給する気体の風量を決定する、
ことを特徴とする請求項５に記載の画像読取装置。
【発明の詳細な説明】
【技術分野】
【０００１】
本発明は、搬送路を搬送される原稿の画像を読み取る画像読取部と、該画像読取部に対して搬送路を挟んで対向するように配置されるガイド部材とを備えるスキャナ等の画像読取装置に関する。
【背景技術】
【０００２】
画像読取部の原稿の画像の読取位置にコンタクトガラスを設けた画像読取装置では、コンタクトガラスにゴミ等が付着すると、読取画像に縦スジ等が発生し、読取画像の品質を低下させてしまう。
【０００３】
この縦スジ等を解消する方法として、画像読取部のコンタクトガラスの上下面に沿ってエアを吹き付けてゴミ等を吹き飛ばし、コンタクトガラスの原稿の画像の読取位置にゴミ等が付着しないようにした技術が提案されている（特許文献１）。
【０００４】
また、コンタクトガラスを設けず、画像読取部の原稿の画像の読取位置に開口部を設けることで、コンタクトガラスへのゴミ等の付着による不具合を解消した技術が提案されている（特許文献２）。
【特許文献１】特開２００３−３０２７１２号公報
【特許文献２】特開２０００−４７４３７号公報
【発明の開示】
【発明が解決しようとする課題】
【０００５】
しかし、上記特許文献１では、エアをコンタクトガラスの上下面に沿って吹き付けているので、搬送される原稿がバタつきを起こし、画像読取部による原稿の読取画像が不鮮明になるおそれがある。
【０００６】
また、上記特許文献２では、開口部から画像読取部の内部にゴミ等が侵入して光学系や照射部に付着し、原稿の読取画像の質を低下させる原因になる。また、先端が折れたり反ったりした原稿が搬送されると、開口部の下流側の側面にその部分が引っ掛かり、搬送ジャムを起こす可能性が高い。
【０００７】
そこで、本発明は、ゴミ等により読取画像の品質が低下するのを防止することができる画像読取装置を提供することを目的とする。
【課題を解決するための手段】
【０００８】
上記目的を達成するために、本発明の画像読取装置は、搬送路を搬送される原稿の画像を読み取る画像読取部と、該画像読取部に対して前記搬送路を挟んで対向するように配置されるガイド部材と、を備える画像読取装置において、前記画像読取部は、前記ガイド部材に対向する面に原稿の画像を読み取るための開口部が設けられ、該開口部から気体を吹き出させる気体供給手段を備えることを特徴とする。
【発明の効果】
【０００９】
本発明によれば、画像読取部のガイド部材に対向する面の原稿の画像の読取位置に設けた開口部を介して原稿の画像を読み取るため、読取画像に縦スジ等が発生するのを防止することができる。
【００１０】
また、搬送路を搬送される原稿が開口部を通る際に、該開口部から搬送される原稿に向けて気体を吹き出させるので、開口部から画像読取部の内部にゴミ等が侵入するのを防止することができる。
【００１１】
更に、開口部から吹き出された気体により搬送される原稿がガイド部材へ押し付けられて密着するため、原稿がバタツキを起こすのを防止することができ、鮮明な読取画像を得ることができる。
【発明を実施するための最良の形態】
【００１２】
以下、本発明の実施形態を図面を参照して説明する。
【００１３】
（第１の実施形態）
図１は、本発明の第１の実施形態である画像読取装置について説明するための概略断面図である。
【００１４】
本実施形態の画像読取装置は、図１に示すように、原稿台７に積載された複数枚の原稿Ｓの最上面がピックアップローラ６に当接するまで原稿台７が上昇し、最上面の原稿Ｓから順次ピックアップローラ６及び給送ローラ４によって搬送路に給送される。
【００１５】
なお、ピックアップローラ６により２枚以上の原稿Ｓが送り出された場合は、分離ローラ１１により原稿Ｓが一枚ずつに分離されて搬送路に給送される。
【００１６】
搬送路に給送された原稿Ｓは、搬送ローラ対３により下流側に搬送されつつ、レジストセンサ１４、紙厚センサ１７を通過して２台の画像読取部１により表面及び裏面の画像が読み取られる。
【００１７】
搬送路を挟んで画像読取部１に対向する位置には、プラテンローラ（ガイド部材）１０が配置されており、プラテンローラ１０は、原稿Ｓの種類に応じて白色又は黒色（図１の斜線部）の面を画像読取部１に対向させるように回転する。なお、プラテンローラ１０の回転制御については、後述する。
【００１８】
２台の画像読取部１で両面の画像が読み取られた原稿Ｓは、搬送ローラ対３により下流側に搬送され、排紙ローラ５により排紙トレイ９に排紙される。原稿台７に積載された原稿Ｓがすべて搬送路に給送されると、原稿台７は下降してホームポジションに戻る。
【００１９】
なお、本実施形態の画像読取装置は、下部ユニット１２に対して上部ユニット２がヒンジ１３を介して開閉可能に支持されている。
【００２０】
上部ユニット２が開いた状態では、搬送ローラ対３、プラテンローラ１０、画像読取部１、レジストセンサ１４、紙厚センサ１７、ピックアップローラ６、給送ローラ４、及び分離ローラ１１等の清掃、及び搬送路に詰まった原稿Ｓを取り出すことができる。
【００２１】
上部ユニット２の開閉は、不図示の開閉検知センサによって検知され、制御部１１０（図５）は、上部ユニット２が閉まったことを開閉検知センサの検知情報を基に確認して給送待機モードに入る。
【００２２】
次に、図２を参照して、画像読取部１について説明する。
【００２３】
図２に示すように、画像読取部１は、センサケース５０と、センサケース５０に接続部材６３を介して接続されるファンユニット（気体供給手段）６０と、を備える。
【００２４】
センサケース５０は、搬送路を向く側に面が原稿Ｓのガイド面とされており、ガイド面には、搬送路に開口する開口部５８が形成されている。
【００２５】
開口部５８は、原稿Ｓの幅方向の画像読取範囲より広い範囲で形成されており、また、開口部５８の搬送路下流側縁部には、搬送される原稿Ｓの引っ掛かりを防止するために、上流側に向けて搬送路から離間する方向に傾斜する傾斜面６２が形成されている。
【００２６】
センサケース５０内には、照射部５１、レンズアレイ５２、及び受光部５３が設けられている。なお、本実施形態では、レンズアレイを用いてコンタクトイメージセンサを構成し、画像読取部１としているが、縮小光学系とＣＣＤ等を用いて画像読取部を構成してもよい。
【００２７】
レンズアレイ５２は、原稿Ｓの幅方向の画像読取範囲より広い範囲で原稿Ｓの幅方向に沿って延設されている。
【００２８】
レンズアレイ５２は、センサケース５０内の空間を開口部５８側と開口部５８から離間する側とに仕切る仕切り板５５に保持されており、かかる保持状態においては、搬送路を搬送される原稿Ｓを開口部５８を介して指向するように配置されている。
【００２９】
照射部５１は、レンズアレイ５２の搬送路の上流側で仕切り板５５に取り付けられており、開口部５８を介して搬送路を搬送される原稿Ｓに光を照射する。
【００３０】
受光部５３は、センサケース５０の開口部５８の反対側の壁部にレンズアレイ５２の下面に対して対向するように配置されている。なお、レンズアレイ５２は、搬送路を搬送される原稿Ｓの像を受光部５３上に結像させるため、原稿Ｓ上に合焦位置を有する。
【００３１】
そして、照射部５１から開口部５８を介して搬送路を搬送される原稿Ｓに光が照射されると、その反射光が開口部５８を介してレンズアレイ５２により集光される。レンズアレイ５２により集光された光は、受光部５３に導かれて電気信号に変換され、これにより、原稿Ｓの画像が読み取られる。
【００３２】
ファンユニット６０は、搬送路を搬送される原稿Ｓが開口部５８を通過する際に、開口部５８から原稿Ｓに向けてエアを吹き出させるため、接続部材６３を介してセンサケース５０内に外気を供給する。
【００３３】
具体的には、ファンユニット６０は、フィルタ６１を介して外気を吸引し、吸引した外気を接続部材６３内の流路に供給する。接続部材６３内の流路は、途中で２つに分岐されており、一方の分岐流路からセンサケース５０の仕切り板５５の開口部５８側の空間に外気が流入し、他方の分岐流路から仕切り板５５の受光部５３側の空間に外気が流入する。
【００３４】
そして、センサケース５０の仕切り板５５の開口部５８側の空間に流入した外気が、開口部５８を介して該開口部５８を通る原稿Ｓに向けて吹き出される。
【００３５】
ここで、制御部１１０は、紙厚センサ１７に検知された原稿Ｓの厚さ情報に基づいて、ファンユニット６０による外気の供給の開始及び停止タイミング、並びに供給する外気の風量を制御する。詳細については、後述する。
【００３６】
また、センサケース５０の仕切り板５５の受光部５３側の底壁には、吹き出し口５０ａが受光部５３の両側に位置して形成され、仕切り板５５の開口部５８側の空間の側壁には、吹き出し口５０ｂが仕切り板５５の近傍に位置して形成されている。
【００３７】
吹き出し口５０ａ，５０ｂは、ファンユニット６０の停止時にセンサケース５０内に不用意に侵入したゴミ等を、ファンユニット６０の駆動時にセンサケース５０内に供給された外気と共に外部に吹き出す。
【００３８】
吹き出し口５０ａ，５０ｂの数や大きさは、ファンユニット６０からの供給外気により、センサケース５０の仕切り板５５の開口部５８側の空間の気圧Ｐ２及び仕切り板５５の受光部５３側の空間の気圧Ｐ１が外部の気圧Ｐより高い状態を維持するように決定される。
【００３９】
なお、本実施形態では、センサケース５０の受光部５３側の空間と開口部５８側の空間の双方に外気を供給するようにしているが、受光部５３側の空間を密閉し、開口部５８側の空間のみに外気を供給するようにしてもよい。
【００４０】
次に、図３（ａ）を参照して、プラテンローラ１０の回転制御の一例について説明する。
【００４１】
図３（ａ）に示すように、プラテンローラの一方の軸端には、ギアＧ２が取り付けられ、他方の軸端には、羽根８が取り付けられている。ギアＧ２には、ギアＧ１が噛合しており、ギアＧ１は、制御部１１０によって駆動が制御されるパルスモータＭの駆動軸に取り付けられている。
【００４２】
羽根８の回転角は、プラテンローラ１０の回転角として位置センサ２０によって検出され、検出された回転角は制御部１１０に出力される。
【００４３】
そして、制御部１１０が、ＰＣ１４０等からの原稿Ｓの背景色の指示に基づいて、プラテンローラ１０が所定の回転角で停止するようにパルスモータＭを制御し、これにより、画像読取部１に対向するプラテンローラ１０の色が白色又は黒色に切り替えられる。
【００４４】
例えば、印刷字濃度が薄くて透ける原稿の場合には、プラテンローラ１０の白色部分を画像読取部１に対向させて印刷文字を強調し、両面印刷で透ける原稿の場合には、プラテンローラ１０の黒色部分を画像読取部１に対向させて裏写りし難くすることが出来る。
【００４５】
なお、プラテンローラ１０は、黒色のみまたは白色のみの構成で、原稿の種類に応じて交換するようにしても良い。
【００４６】
また、プラテンローラ１０に代えて、図３（ｂ）に示すように、画像読取部１に対向して板状のガイド部材１０ａを原稿の搬送方向に移動可能に配置し、原稿の種類に応じてガイド部材１０ａをソレノイド５９等で移動させるような構成としてもよい。
【００４７】
次に、図４を参照して、画像読取部１より下流側で搬送路を搬送される原稿Ｓの厚さを検知する紙厚センサ１７の一例について説明する。
【００４８】
図４に示すように、紙厚センサ１７は、搬送路を搬送される原稿Ｓが検知レバー１５に到達すると、原稿Ｓの厚さに応じて検知レバー１５が回転中心１５ａを支点に回動し、この回動量の変化をフォトインタラプタ１６で検知する。
【００４９】
フォトインタラプタ１６は、光電変換素子を有し、光量の変化を電気信号に置き換えて原稿Ｓの紙厚を判定し、判定した原稿Ｓの厚さ情報を制御部１１０に出力する。なお、本実施形態では、レバー式の紙厚センサ１７としているが、赤外線や超音波等のセンサで透過式や反射式のものを紙厚センサに採用してもよい。
【００５０】
図５は、本実施形態の画像読取装置の制御系の一例を示す概略ブロック図である。
【００５１】
画像読取装置の制御系は、操作部１００、画像読取装置全体を制御する制御部１１０、レジストセンサ１４、紙厚センサ１７、位置センサ２０等を含むセンサ類１２０、各種ローラ対や原稿台７、プラテンローラ１０等を駆動するモータ類１３０を備える。
【００５２】
次に、図６を参照して、制御部１１０によるファンユニット６０の駆動制御の一例について説明する。図６での各処理は、画像読取装置のＲＯＭ等の記憶手段に記憶された制御プログラムがＲＡＭにロードされて、制御部１１０のＣＰＵ等により実行される。
【００５３】
まず、ステップＳ１では、制御部１１０は、ＰＣ１４０からの読取指示或いは画像読取装置の不図示のスタートボタン等の押下による読取指示により原稿Ｓが搬送路に給送されると、ステップＳ２に進む。
【００５４】
ステップＳ２では、制御部１１０は、紙厚センサ１７からの原稿Ｓの厚さ情報を取得し、ステップＳ３に進む。なお、本実施形態では、原稿Ｓの厚さ情報を紙厚センサ１７から取得しているが、これに代えて、操作部１００でユーザ操作により設定された原稿Ｓの厚さ情報を取得するようにしてもよい。
【００５５】
ステップＳ３では、制御部１１０は、ファンユニット６０によるエア供給の開始タイミング及び停止タイミングを決定する。
【００５６】
ここで、制御部１１０は、原稿Ｓの搬送速度が判っているため、レジストセンサ１４により原稿Ｓが検知された時点からの時間をカウントすることで、何秒後に原稿Ｓが搬送路のどの位置に到達しているのかを計算によって求めることができる。
【００５７】
従って、例えば、原稿Ｓが開口部５７に到達したタイミングをファンユニット６０によるエア供給開始タイミングとし、原稿Ｓが開口部５７を通過したタイミングをファンユニット６０によるエア供給停止タイミングとすることができる。
【００５８】
なお、ステップＳ２で取得した原稿Ｓの厚さ情報に応じて、ファンユニット６０によるエア供給の開始タイミング及び停止タイミングを変更することもできる。
【００５９】
例えば、原稿Ｓの厚さが所定の厚さより薄い場合は、制御部１１０は、ファンユニット６０によるエア供給開始タイミングが原稿Ｓの先端が開口部５７に到達する所定距離前になるよう決定してもよい。
【００６０】
これにより、厚さが薄いために反りや折れ曲がりが生じやすい原稿の先端がプラテンローラ１０側に吹き上げられるので、該原稿の先端が開口部５８に引っ掛かるのを防止することができる。
【００６１】
また、ステップＳ３では、制御部１１０は、ステップＳ２で取得した原稿Ｓの厚さ情報に応じて、ファンユニット６０から供給されるエアの風量を決定し、ステップＳ４に進む。
【００６２】
本実施形態では、制御部１１０は、通常の厚さ（基準厚さ）の原稿をデフォルト値の風量とし、基準厚さより薄い原稿の場合の風量をデフォルト値より減じ、基準厚さより厚い原稿の場合の風量をデフォルト値より増すように決定する。なお、ここでは、３種類の風量にしているが、これに限定されるものではない。
【００６３】
ステップＳ４では、制御部１１０は、レジストセンサ１４により原稿Ｓが検知された時点からの時間のカウント値を基に、ステップＳ３で決定したエア供給開始タイミングの位置に原稿Ｓが到達したか否かを判断する。
【００６４】
そして、制御部１１０は、エア供給開始タイミングの位置に原稿Ｓが到達したと判断した場合は、ステップＳ５に進む。
【００６５】
ステップＳ５では、制御部１１０は、ステップＳ３で決定した風量で、上述したように、ファンユニット６０による画像読取部１のセンサケース５０内へのエア供給を開始し、ステップＳ６に進む。
【００６６】
ステップＳ６では、制御部１１０は、レジストセンサ１４により原稿Ｓが検知された時点からの時間のカウント値を基に、ステップＳ３で決定したエア供給停止タイミングの位置に原稿Ｓが到達したか否かを判断する。
【００６７】
そして、制御部１１０は、エア供給停止タイミングの位置に原稿Ｓが到達したと判断した場合は、ステップＳ７に進む。
【００６８】
ステップＳ７では、制御部１１０は、ファンユニット６０による画像読取部１のセンサケース５０内へのエア供給を停止し、ステップＳ８に進む。
【００６９】
ステップＳ８では、制御部１１０は、原稿台７に設けられた不図示の原稿検知センサからの信号を基に、原稿台７に原稿Ｓがあるか否かを判断する。
【００７０】
そして、制御部１１０は、原稿台７に原稿Ｓがあると判断した場合は、ステップＳ４に戻って、上述したステップＳ４〜ステップＳ８の処理を繰り返し、原稿台７に原稿Ｓがないと判断した場合は、処理を終了する。なお、原稿一枚ごとに厚さ情報を取得する場合は、ステップＳ２に戻るようにしてもよい。
【００７１】
以上説明したように、本実施形態では、コンタクトガラスを設けず、画像読取部１のプラテンローラ１０に対向する面の原稿Ｓの画像の読取位置に設けた開口部５８を介して原稿Ｓの画像を読み取るため、読取画像に縦スジ等が発生するのを防止することができる。
【００７２】
また、本実施形態では、搬送路を搬送される原稿Ｓが開口部を通る際に、該開口部５８から搬送される原稿Ｓに向けてエアが吹き出されるので、開口部５８から画像読取部１センサケース５０内にゴミ等が侵入するのを防止することができる。
【００７３】
更に、本実施形態では、開口部５８から吹き出されたエアにより搬送される原稿Ｓがプラテンローラ１０に押し付けられて密着するため、原稿がバタツキを起こすのを防止してベストピントで原稿Ｓの画像を読み取ることができ、鮮明な読取画像を得ることができる。
【００７４】
更に、本実施形態では、原稿Ｓの厚さに応じてファンユニット６０から画像読取部１のセンサケース５０内に供給されるエアの風量を増減制御している。このため、開口部５８を通る原稿Ｓの厚さが異なる場合でも、該原稿Ｓをプラテンローラ１０に確実に押し付けて密着させることができる。
【００７５】
更に、本実施形態では、搬送される原稿Ｓがプラテンローラ１０に押し付けられて密着することから、原稿Ｓの画像読取時のピントを合いやすくするために画像読取部１のガイド面とプラテンローラ１０との隙間を狭くしなくて済む。これにより、ジャムや異音の発生を防止することができる。
【００７６】
更に、本実施形態では、ファンユニット６０から画像読取部１のセンサケース５０内に供給されるエアによってセンサケース５０内を冷却することができるので、照明部５１や受光部５３の発する熱を放熱して、センサケース５０の熱歪み等を防止することができる。
【００７７】
（第２の実施形態）
次に、図７及び図８を参照して、本発明の第２の実施形態である画像読取装置について説明する。なお、上記第１の実施形態に対して、重複又は相当する部分については各図に同一符号を付してその説明を省略する。
【００７８】
本実施形態の画像読取装置は、図７に示すように、プラテンローラ１０の全周面が白色系で構成されている。プラテンローラ１０の外周部の画像読取部１の開口部５８に対向する部位には、溝部５７が原稿Ｓの幅方向の画像読取範囲より広い範囲にわたって形成されている。
【００７９】
この溝部５７により、搬送される原稿Ｓが開口部５８から吹き出るエアにより押されてプラテンローラ１０を擦って該プラテンローラ１０の表面に擦りキズや摩耗が発生するのを防止することができる。また、原稿Ｓの印刷部分がプラテンローラ１０に転写してプラテンローラ１０が汚れる等の不具合を防止することもできる。
【００８０】
また、プラテンローラ１０の全周面を白色系材料で構成しているので、図８に示すように、プラテンローラ１０の溝部５７が読取位置から離間した位置で画像の読取を行えば、原稿の背景色を白色とすることが可能になる。
【００８１】
一方、図７に示すように、プラテンローラ１０の溝部５７が読取位置に対向するように配置して、画像の読取を行えば、溝部５７の凹形状によって照明部５１の照射光のうちプラテンローラ１０が反射する光量が減る。従って、原稿の背景色を黒にして読み取りたいときに溝部５７を読取位置に対向させるように設定しておけば、白色系材料のみで形成されたプラテンローラ１０で原稿の背景色を白又は黒に切り替えることが可能になる。
【００８２】
これにより、プラテンローラ１０の構造が簡単になるため、コストダウンを図ることができる。なお、図３（ｂ）に示す板状のガイド部材１０ａであっても、同様の溝部を設けることで同様な効果を得ることができる。その他の構成及び作用効果は、上記第１の実施形態と同様である。
【００８３】
なお、本発明の構成は、上記各実施形態に例示したものに限定されるものではなく、材質、形状、寸法、形態、数、配置箇所等は、本発明の要旨を逸脱しない範囲において適宜変更可能である。
【図面の簡単な説明】
【００８４】
【図１】本発明の第１の実施形態である画像読取装置について説明するための概略断面図である。
【図２】画像読取部を説明するための断面図である。
【図３】（ａ）はプラテンローラの回転制御の一例について説明するための斜視図、（ｂ）はガイド部材を説明するための斜視図である。
【図４】紙厚センサの一例について説明するための斜視図である。
【図５】画像読取装置の制御系の一例を示す概略ブロック図である。
【図６】制御部によるファンユニットの駆動制御の一例について説明するためのフローチャート図である。
【図７】本発明の第２の実施形態である画像読取装置について説明するための断面図である。
【図８】プラテンローラの溝部を画像の読取位置から離間させた状態を示す断面図である。
【符号の説明】
【００８５】
１    画像読取部
２    上部ユニット
３    搬送ローラ対
４    給送ローラ
５    排紙ローラ
６    ピックアップローラ
７    原稿台
８    羽根
９    排紙トレイ
１０  プラテンローラ
１０ａ  ガイド部材
１１  分離ローラ
１２  下部ユニット
１３  ヒンジ
１４  レジストセンサ
１５  検知レバー
１６  フォトインタラプタ
１７  紙厚センサ
２０  位置センサ
５０  センサケース
５０ａ，５０ｂ  吹き出し口
５１  照明部
５２  レンズアレイ
５３  受光部
５７  溝部
５８  開口部
５９  ソレノイド
６０  ファンユニット
６１  フィルタ
６２  傾斜面
１００  操作部
１１０  制御部
１４０  ＰＣ
Ｍ    パルスモータ
Ｓ    原稿
Ｇ１，Ｇ２  ギア
【図１】
2010098660.tif 000003
【図２】
2010098660.tif 000004
【図３】
2010098660.tif 000005
【図４】
2010098660.tif 000006
【図５】
2010098660.tif 000007
【図６】
2010098660.tif 000008
【図７】
2010098660.tif 000009
【図８】
2010098660.tif 000010